(57)【要約】      （修正有）【課題】給水配管に螺合接続して容易に取り外すことのできない液体改質ジョイントを提供する。【解決手段】この液体改質ジョイント８０は、ネジ部２０ａ、２０ｂを両端に備えたパイプ部２０と、磁極面がパイプ部２０側を向くようにこのパイプ部２０の周囲に配置された複数の磁石３０ａ、３０ｂと、これら磁石３０ａ、３０ｂを保持するケース部３２と、このケース部３２の開口端を閉塞するキャップ部３４と、を有している。そして、このパイプ部２０を目的の建築物や設備、装置等の給水配管に直接螺合接続する。このため、部外者等が液体改質ジョイント８０を短時間で取り外すことが困難となり、液体改質ジョイント８０の盗難防止を図ることができる。【選択図】図１
0003202856.tif 000002
【実用新案登録請求の範囲】
【請求項１】
両端に既存の給水配管と螺合可能なネジ部を備えたパイプ部と、
磁極面が前記パイプ部側を向くように前記パイプ部の周囲に配置された複数の磁石と、
前記磁石を保持するケース部と、を有し、
前記磁石は、前記パイプ部の周方向に略等間隔に偶数個設置されるとともに、前記パイプ部の管軸方向に沿って複数列設置され、さらに、前記磁石は前記パイプ部の周方向及び管軸方向でそれぞれ隣り合う磁極が互いに逆となるように配置されることを特徴とする液体改質ジョイント。
【請求項２】
磁石の磁極面が正方形であることを特徴とする請求項１記載の液体改質ジョイント。
【請求項３】
管軸方向に沿って配列した磁石の総全長が、パイプ部の内径寸法以上で且つ内径寸法の２．５倍以下の長さとなる個数にしたことを特徴とする請求項２記載の液体改質ジョイント。
【考案の詳細な説明】
【技術分野】
【０００１】
本考案は、磁気により水等の液体を改質する液体改質ジョイントに関するものである。
【背景技術】
【０００２】
磁気によりエネルギーを消費することなく水を改質する様々な液体改質装置が考案されている。例えば、下記［特許文献１］には、給水配管を挟むように設置して、この給水配管内を流下する水に磁力を印加し改質を行う水活性化装置に関する発明が開示されている。
【先行技術文献】
【特許文献】
【０００３】
【特許文献１】特開２００８−２６４６４９号公報
【考案の概要】
【考案が解決しようとする課題】
【０００４】
しかしながら、［特許文献１］に記載の水活性化装置は、着脱が容易なため盗難に遭いやすいという問題点がある。本考案は上記事情に鑑みてなされたものであり、給水配管に螺合接続して容易に取り外すことのできない液体改質ジョイントを提供することを目的とする。
【課題を解決するための手段】
【０００５】
本考案は、
（１）両端に既存の給水配管と螺合可能なネジ部２０ａ、２０ｂを備えたパイプ部２０と、磁極面が前記パイプ部２０側を向くように前記パイプ部２０の周囲に配置された複数の磁石３０ａ、３０ｂと、前記磁石３０ａ、３０ｂを保持するケース部３２と、を有し、
前記磁石３０ａ、３０ｂは、前記パイプ部２０の周方向に略等間隔に偶数個設置されるとともに、前記パイプ部２０の管軸方向に沿って複数列設置され、さらに、前記磁石３０ａ、３０ｂは前記パイプ部２０の周方向及び管軸方向でそれぞれ隣り合う磁極が互いに逆となるように配置されることを特徴とする液体改質ジョイント８０を提供することにより、上記課題を解決する。
（２）磁石３０ａ、３０ｂの磁極面が正方形であることを特徴とする上記（１）記載の液体改質ジョイント８０を提供することにより、上記課題を解決する。
（３）管軸方向に沿って配列した磁石３０ａ、３０ｂの総全長が、パイプ部２０の内径寸法以上で且つ内径寸法の２．５倍以下の長さとなる個数にしたことを特徴とする上記（２）記載の液体改質ジョイント８０を提供することにより、上記課題を解決する。
【考案の効果】
【０００６】
本考案に係る液体改質ジョイントは、ネジ部を両端に備えたパイプ部を有し、このパイプ部を給水配管に直接螺合接続する。このため、部外者等が液体改質ジョイントを短時間で取り外すことが困難となり、液体改質ジョイントの盗難防止を図ることができる。
【図面の簡単な説明】
【０００７】
【図１】本考案に係る呼び径２０Aの液体改質ジョイントの外観図及び断面図である。
【図２】本考案に係る呼び径２０Aの液体改質ジョイントの斜視図である。
【図３】本考案に係る呼び径１５Aの液体改質ジョイントの斜視図である。
【図４】本考案に係る呼び径５０Aの液体改質ジョイントの斜視図である。
【考案を実施するための形態】
【０００８】
本考案に係る液体改質ジョイントの実施の形態を図面に基づいて説明する。ここで、図１（ａ）は呼び径２０Aの液体改質ジョイント８０の側面図であり、図１（ｂ）はＸ−Ｘ断面図であり、図１（ｃ）はＹ−Ｙ断面図である。また、図２は呼び径２０Aの液体改質ジョイント８０の斜視図であり、図３は呼び径１５Aの液体改質ジョイント８０の斜視図であり、図４は呼び径５０Aの液体改質ジョイント８０の斜視図である。尚、図２〜図４ではケース部３２を破線とし透過状態で示す。また、図中の磁石３０ａはパイプ部２０側の磁極面がＮ極の磁石を示し、磁石３０ｂはパイプ部２０側の磁極面がＳ極の磁石を示している。
【０００９】
図１〜図４に示す液体改質ジョイント８０は、両端に既存の給水配管と螺合可能なネジ部２０ａ、２０ｂを備えたパイプ部２０と、磁極面がパイプ部２０側を向くようにこのパイプ部２０の周囲に配置された複数の磁石３０ａ、３０ｂと、これら磁石３０ａ、３０ｂを保持するケース部３２と、このケース部３２の開口端を閉塞するキャップ部３４と、を有している。また、パイプ部２０にはレンチ等の工具を用いて給水配管と接続するためのレンチ溝２２が形成されている。尚、ケース部３２は、図１〜図３に示すように片端を開口させても良いし、図４に示すように両端が開口した円筒状とし両側をキャップ部３４で閉塞するようにしても良い。
【００１０】
そして、磁石３０ａ、３０ｂはパイプ部２０の周方向の全周に亘って略等間隔に偶数個設置する。また、磁石３０ａ、３０ｂはパイプ部２０の管軸方向に沿って複数列設置する。このとき、磁石３０ａ、３０ｂはパイプ部２０の周方向及び管軸方向でそれぞれ隣り合う磁極が互いに逆となるように配置する。即ち、図１（ｂ）に示すように、磁石３０ａ、３０ｂは周方向でそれぞれ隣り合う磁極が互いに逆となるよう、３０ａ、３０ｂ、３０ａ、３０ｂ・・・と交互に配置する。尚、周方向に配置される磁石３０ａ、３０ｂは偶数個のため、全ての磁石３０ａ、３０ｂの隣り合う磁極を逆に配置することができる。また、磁石３０ａ、３０ｂは、図１（ｃ）に示すように、管軸方向もそれぞれ隣り合う磁極が互いに逆となるよう、３０ａ、３０ｂ、３０ａ、３０ｂ・・・と交互に配置する。このように、周方向及び管軸方向で隣り合う全ての磁極が互いに逆となるように磁石３０ａ、３０ｂを配置することで、磁石３０ａのＮ極からの磁力線はそれぞれ隣接する磁石３０ｂのＳ極に向かう。そして、これが全ての磁石３０ａ、３０ｂでなされるため、パイプ部２０の内側には磁気的にバランスのとれた磁場が形成される。そして、このバランスのとれた磁場はパイプ部２０内を流下する水に対し、好ましい改質を施す。
【００１１】
また、磁石３０ａ、３０ｂの磁極面は一辺が５ｍｍ〜８ｍｍの正方形であることが好ましく、特に呼び径の小さなパイプ部２０の場合には６ｍｍのものを、呼び径の大きな場合には７．５ｍｍのものを用いることが好ましい。このように磁極面が正方形の磁石３０ａ、３０ｂを用いることで、周方向と管軸方向とで偏りの少ない同等な磁場をパイプ部２０内に形成することができる。尚、磁石３０ａ、３０ｂの高さ寸法は特に限定は無いが、液体改質ジョイント８０の外径寸法の小径化と磁石３０ａ、３０ｂのハンドリングとの兼ね合いから６ｍｍ前後とすることが好ましい。また、磁石３０ａ、３０ｂの配列個数はパイプ部２０の周方向及び管軸方向に可能な限り密に配列することが好ましい。よって、１５Aの液体改質ジョイント８０では磁極面の一辺が６ｍｍの磁石３０ａ、３０ｂを周方向に１０個配列することが好ましい。また、２０Aの液体改質ジョイント８０では磁極面の一辺が７．５ｍｍの磁石３０ａ、３０ｂを周方向に１０個配列することが好ましい。また、５０Aの液体改質ジョイント８０では磁極面の一辺が７．５ｍｍの磁石３０ａ、３０ｂを周方向に２４個配列することが好ましい。
【００１２】
また、磁石３０ａ、３０ｂの管軸方向の配列個数には特に限定は無いが、管軸方向に沿って配列した磁石３０ａ、３０ｂの総全長、即ち管軸方向に配列した複数の磁石３０ａ、３０ｂの端から端までの長さがパイプ部２０の内径寸法以上となる個数とすることが水に対する改質性の面から好ましい。ただし、液体改質ジョイント８０の長さ寸法軽減の面から、内径寸法の２．５倍以下の長さとすることが好ましい。よって、特に１５Ａのパイプ部２０に一辺が６ｍｍの磁石３０ａ、３０ｂを用いた場合の管軸方向の配列個数は３列が好ましく、２０Ａのパイプ部２０に一辺が７．５ｍｍの磁石３０ａ、３０ｂを用いた場合の管軸方向の配列個数は４列が好ましく、５０Ａのパイプ部２０に一辺が７．５ｍｍの磁石３０ａ、３０ｂを用いた場合の管軸方向の配列個数は８列が好ましい。
【００１３】
尚、パイプ部２０、ケース部３２、キャップ部３４の材質は錆に強い金属で構成することが好ましく、特にパイプ部２０は非磁性体のオーステナイト系ステンレスのＳＵＳ３０４を、ケース部３２、キャップ部３４は強磁性体のフェライト系ステンレスのＳＵＳ４３０を用いることが好ましい。また、磁石３０ａ、３０ｂは永久磁石であれば特に限定は無いが、磁力の強いネオジム磁石等の希土類磁石を用いることが好ましい。尚、磁石３０ａ、３０ｂは防水性と耐錆性のため例えばエポキシ樹脂等により全体をコーティングする形で接着固定することが好ましい。
【００１４】
次に、本考案に係る液体改質ジョイント８０の使用方法の例と動作を説明する。先ず、液体改質ジョイント８０を目的の建築物や設備、装置等の給水配管に接続する。この接続は給水配管の接続部分を一旦外した後、液体改質ジョイント８０のネジ部２０ａ、２０ｂと給水配管側に設けられた周知の継手等を螺合接続する。これにより、液体改質ジョイント８０のパイプ部２０が給水配管と連通するとともに、液体改質ジョイント８０は給水配管と螺合接続され部外者等が短時間で取り外すことが困難となる。これにより、液体改質ジョイント８０の盗難防止を図ることができる。
【００１５】
そして、給水配管を流下する水には磁石３０ａ、３０ｂによる磁力が作用し好ましい改質が施される。そして、液体改質ジョイント８０を一般住宅の大元の給水配管に設置すれば、一般住宅の全ての給水栓に改質水が供給される。また、建築物や施設の給水配管に設置すれば、液体改質ジョイント８０の設置地点より下流の給水栓に改質水が供給される。また、下水道浄化施設等の浄化槽への給水配管に設置すれば、浄化槽に改質水が供給され槽内の浄化バクテリアの生育及び活動に好ましい影響を与えることができる。さらに、各種設備、装置の給水配管に液体改質ジョイント８０を設置すれば、これら設備、装置の原水に改質水を使用することができる。例えば、生ごみ処理機の給水配管に設置すれば、生ごみを分解する微生物の生育及び活動に好ましい影響を与えることができる。また、給茶機に設置すれば改質水を用いた茶をユーザに提供することができる。また、業務用のオゾン水生成装置に設置すれば、好ましい改質の施されたオゾン水により各種洗浄や殺菌を行うことができる。
【００１６】
以上のように、本考案に係る液体改質ジョイント８０は、ネジ部２０ａ、２０ｂを両端に備えたパイプ部２０を有している。そして、このパイプ部２０を目的の建築物や設備、装置等の給水配管に直接螺合接続する。このため、部外者等が液体改質ジョイント８０を短時間で取り外すことが困難となり、液体改質ジョイント８０の盗難防止を図ることができる。
【００１７】
尚、上記に示した液体改質ジョイント８０の磁石３０ａ、３０ｂ及び各部の形状、デザイン、寸法、個数等は一例であるから、上記の例に限定されるわけでは無く、本考案は本考案の要旨を逸脱しない範囲で変更して実施することが可能である。
【符号の説明】
【００１８】
２０    パイプ部
２０ａ、２０ｂ  ネジ部
３０ａ、３０ｂ  磁石
３２    ケース部
８０    液体改質ジョイント
【図１】
0003202856.tif 000003
【図２】
0003202856.tif 000004
【図３】
0003202856.tif 000005
【図４】
0003202856.tif 000006